(57)【特許請求の範囲】
【請求項１】
光学ヘッドの光源となる半導体レーザーを駆動するレーザードライバーの放熱を行う光学ヘッドにおけるレーザードライバー放熱装置であって、前記半導体レーザーをレーザーホルダーに保持してハウジングに組み込むと共に、ハウジングにレーザードライバーが設置される放熱板を取り付け、前記レーザーホルダーと前記放熱板との間に熱伝達部材を介在させ、前記放熱板に前記半導体レーザーを熱接合させたことを特徴とする光学ヘッドにおけるレーザードライバー放熱装置。
【請求項２】
光学ヘッドのスレッド送りをガイドするガイドシャフトの軸受け部を有する軸受け部材を前記放熱板に接合させ、該放熱板の熱を前記軸受け部材を介してガイドシャフトに伝達させるようにしたことを特徴とする請求項１記載の光学ヘッドにおけるレーザードライバー放熱装置。
【請求項３】
前記放熱板は、半導体レーザーの光軸に対して放熱板の面方向が略平行になるようにハウジングに取り付けられたことを特徴とする請求項１記載の光学ヘッドにおけるレーザードライバー放熱装置。
【発明の詳細な説明】
【０００１】
【発明の属する技術分野】
本発明は、半導体レーザーを駆動するレーザードライバーの放熱を行う光学ヘッドにおけるレーザードライバー放熱装置に関し、特に、半導体レーザーが組み込まれるハウジングが合成樹脂により構成される光学ヘッドに好適なレーザードライバー放熱装置に関する。
【０００２】
【従来の技術】
ディスク等の信号記録媒体に対して光学的に信号の読み取り、あるいは書き込みを行う光学ヘッド装置は、通常、光源となる半導体レーザー及び受光素子である光検出器が組み込まれるハウジングに、対物レンズを駆動させるアクチュエータを設置して構成される。前記ハウジングは、半導体レーザーから出射されるレーザービームを対物レンズに導く光学系及び信号記録媒体により反射されて対物レンズに戻されるレーザービームを光検出器に導く光学系が形成されている。
【０００３】
ところで、半導体レーザーを駆動する集積回路のレーザードライバーはハウジングに設置され、半導体レーザーとレーザードライバーとは例えばフレキシブル基板により接続され、信号劣化や雑音の影響を抑えるために近接して配置される。
【０００４】
【発明が解決しようとする課題】
ところで、半導体レーザー及びレーザードライバーは発熱され、これらが過熱されると、半導体レーザーにより発光されるレーザービームに悪影響を与える問題があるので、半導体レーザー及びレーザードライバーの放熱が必要である。
【０００５】
しかしながら、コストダウンが図られた光学ヘッドにおいては、合成樹脂によって構成されるハウジングを採用することが多いので、半導体レーザー及びレーザードライバーの放熱をハウジングで行うことが出来ない。
【０００６】
その為、放熱板を設けることが考えられるが、放熱板の設置場所が制限され、放熱効果を高めるのが困難であった。
【０００７】
また、半導体レーザーとレーザードライバーとの位置関係により同一の放熱板を兼用することが困難であると共に、兼用した場合の放熱板の放熱効果を高める必要が生じた。
【０００８】
【課題を解決するための手段】
本発明は、半導体レーザーをレーザーホルダーに保持してハウジングに組み込むと共に、ハウジングにレーザードライバーが設置される放熱板を取り付け、前記レーザーホルダーと前記放熱板との間に熱伝達部材を介在させ、前記放熱板に前記半導体レーザーを熱接合させている。これによりレーザードライバーを放熱させる放熱板により半導体レーザーの放熱も行うようにしている。
【０００９】
【実施例】
図１は本発明に係る光学ヘッドにおけるレーザードライバー放熱装置の展開状態を示す展開斜視図であり、図２は図１のレーザードライバー放熱装置の組立完成状態を示す斜視図である。
【００１０】
１は対物レンズ２を駆動させるアクチュエータ３が設置されるプラスチック製のハウジング、４はレーザーホルダー５に保持されてハウジング１に組み込まれるレーザーダイオード、６はレーザーダイオード４を駆動するレーザードライバー、７は該レーザードライバー６がハンダ付けにより取り付けられるプリント基板、８はレーザードライバー６が設置される金属製のメイン放熱板、９はレーザードライバー６が設置されるプリント基板７をメイン放熱板８に固定すると共に、レーザードライバー６とメイン放熱板８との熱結合経路を構成する金属製のサブ放熱板、１０は光学ヘッドのスレッド送りをガイドするガイドシャフト１１ａ，１１ｂの一方のガイドシャフト１１ａの軸受け部を有する金属製の軸受け部材である。
【００１１】
このように構成される光学ヘッドにおけるレーザードライバー放熱装置の主要部分の構成を詳細に説明する。
【００１２】
レーザーホルダー５は前方の円筒部がハウジング１に形成された孔１２に挿入され、このようにしてハウジング１に組み込まれたレーザーホルダー５の中空孔にレーザーダイオード４を挿入する。
【００１３】
そして、レーザーダイオード４の位置決めを行った後、押圧板１３によりレーザーダイオード４の後面を押圧した状態で押圧板１３をハウジング１にネジ止めしてレーザーダイオード４及びレーザーホルダー５をハウジング１に固定する。
【００１４】
メイン放熱板８には軸受け部材１０がかしめられて接合され、このメイン放熱板８にはレーザードライバー６が取り付けられるプリント基板７がサブ放熱板９と共にネジ止め固定される。
【００１５】
ここで、サブ放熱板９はレーザードライバー６の上面に密着されて設置され、サブ放熱板９のネジ止め部分はメイン放熱板８に直接接触されるので、レーザードライバー６とメイン放熱板８とは熱的に結合される。
【００１６】
メイン放熱板８はハウジング１の底面に固定される。この場合、ハウジング１に一体的に形成される複数のボス１４（一部見えず）がメイン放熱板８に形成された孔１５に挿入されて融着される。
【００１７】
また、メイン放熱板８がハウジング１に固定される際には、シリコンゲルをシート状に形成した熱伝達部材１６をレーザーホルダー５の矩形状の縁部５ａの底面に敷設し、メイン放熱板８がハウジング１に固定された状態において、前記レーザーホルダー５と前記メイン放熱板８との間に熱伝達部材１６が介在され、レーザーホルダー５がメイン放熱板８に熱接合される。
【００１８】
したがって、レーザーダイオード４により発生された熱がレーザーホルダー５及び熱伝達部材１６を介してメイン放熱板８に伝達され、更に、軸受け部材１０に伝達される。
【００１９】
ところで、光学ヘッドは互いに平行に敷設されるガイドシャフト１１ａ，１１ｂによりスレッド送りが行えるようにガイドされており、前記軸受け部材１０には一方のガイドシャフト１１ａが挿通されているので、軸受け部材１０に伝達された熱は前記ガイドシャフト１１ａに伝達される。
【００２０】
すなわち、レーザーダイオード４により発生された熱は、レーザーホルダー５及び熱伝達部材１６を介してメイン放熱板８に伝達され、更に、軸受け部材１０を介してガイドシャフト１１ａに伝達され、これらの経路で熱伝導されて放熱される。
【００２１】
一方、レーザードライバー４により発生された熱は、サブ放熱板９を介してメイン放熱板８に伝達され、更に、軸受け部材１０を介してガイドシャフト１１ａに伝達され、これらの経路で熱伝導されて放熱される。
【００２２】
したがって、ハウジング１がプラスチック材料により構成されていても、レーザーダイオード４及びレーザードライバー６の発熱に対する十分な放熱効果が期待できる。
【００２３】
また、メイン放熱板８はハウジング１の底面に設置され、その範囲を容易に拡大することが可能であるので、取り付けが容易であると共に、メイン放熱板８による放熱効果を高めるのに有利である。
【００２４】
【発明の効果】
以上述べた如く、本発明に依れば、ハウジングによる放熱を用いずに半導体レーザー及びレーザードライバーの発熱に対する十分な放熱効果が得られ、合成樹脂材料により構成されるハウジングを用いた光学ヘッドに採用することが可能なレーザードライバー放熱装置が提供できる。
【００２５】
特に、レーザードライバーを放熱させる放熱板により半導体レーザーの放熱も行うようにしているので、半導体レーザーとレーザードライバーとを近接して配置することが可能であると共に、部品点数及び作業性の点で有利である。
【図面の簡単な説明】
【図１】本発明に係る光学ヘッドにおけるレーザードライバー放熱装置の展開状態を示す展開斜視図である。
【図２】図１の光学ヘッド装置におけるレーザードライバー放熱装置の組立完成状態を示す斜視図である。
【符号の説明】
１          ハウジング
４          レーザーダイオード
５          レーザーホルダー
６          レーザードライバー
８          メイン放熱板
９          サブ放熱板
１０          軸受け部材
１１ａ，１１ｂ          ガイドシャフト
１６          熱伝達部材
【図１】
0003789777.tif 000002
【図２】
0003789777.tif 000003